(57)【特許請求の範囲】
【請求項１】
魚粉２０ｋｇ、骨粉１０ｋｇ、米ヌカ２０ｋｇ、油カス１０ｋｇ、食塩１ｋｇ、及び好気性菌１００ｇを原料とし、この原料に電子発生装置を用いて電子を供給する事で、イオン交換して有害物を除去してからきれいに混配合し、また電子発生装置にて電子を供給した水を加水して３週間以上発酵分解させることを特徴とする電子有機肥料の製造方法。
【請求項２】
魚粉２０ｋｇ、骨粉１０ｋｇ、米ヌカ２０ｋｇ、食塩１ｋｇ、好気性菌１００ｇを原料とし、この原料に電子発生装置を用いて電子を供給する事でイオン交換し、有害物を除去してからきれいに混配合し、また電子発生装置にて電子を供給した水を加水して、３週間以上発酵分解させることを特徴とする電子有機肥料の製造方法。
【請求項３】
米ヌカ３０ｋｇ、骨粉１０ｋｇ、油カス１０ｋｇ、電子飼育の鶏糞１０ｋｇ、食塩１ｋｇ、及び好気性菌１００ｇを原料とし、この原料に電子発生装置を用いて電子を供給する事でイオン交換し有害物質を除去してからきれいに混配合し、また電子発生装置にて電子を供給した水を加水して、３週間以上発酵分解させることを特徴とする電子有機肥料の製造方法。
【請求項４】
植物種子外皮１５ｋｇ、米ヌカ１５ｋｇ、魚粉１５ｋｇ、食塩１ｋｇ、及び嫌気性バクテリア菌１００ｇを原料とし、この原料に電子発生装置を用いて電子を供給する事でイオン交換し有害物質を除去してからきれいに混配合し、また電子発生装置にて電子を供給した水を加水して３週間以上発酵分解させることを特徴とする電子飼料の製造方法。
【発明の詳細な説明】
【０００１】
【産業上の詳細な説明】
本発明は、農業面で利用する電子有機肥料及び畜産面で利用する電子飼料の製造方法に関する。
【０００２】
【従来の技術】
農業面では、化学肥料が主体となり農薬がなければ農作物は生産不可能になるとまでいわれている。畜産においても濃厚飼料が主体となり、薬品が予防的に使われている。
【０００３】
【発明が解決しようとする課題】
従来の農業のやり方では、農薬、化学肥料、薬品の多用等により、人が安心して食べる健全な食べ物と言う観点からみると著しく、安全性、エネルギーの量共に低下してきているという問題点を抱えている。
【０００４】
農業面では、農薬がなかったら収穫量の減少、品質の低下等により経営困難をきたす。
【０００５】
又、従来の農業のやり方を続けても、土壌障害等により連作障害となり、作物が育たなくなってきている。
【０００６】
畜産経営についても現在では、未消化による飼料効率の低下等、飼料代のウエイトが拡大し経営難になっている。
【０００７】
餌の３０％強は未消化で排泄されるため、糞が腐敗して有害ガスを発生させ、畜産公害の原因になっている。
【０００８】
自分の排泄物からでる有害ガスの為に毛穴が目づまりして体液が酸欠状態となり、病害虫予防の為に、薬品漬けとなっている。
【０００９】
それと同時に肉質の低下をきたしている。
【００１０】
又、従来の農業のやり方から、単に無農薬、有機栽培をしても良質の物が生産できると言う事は出来にくく、土壌が出来上がるのに１０数年はかかる。
【００１１】
【課題を解決するための手段】
上記目的を達成するために、本発明の電子有機肥料を農業面に、本発明の電子飼料を畜産面で使用する。
【００１２】
本発明の第１の電子有機肥料の製造方法は、魚粉２０ｋｇ、骨粉１０ｋｇ、米ヌカ２０ｋｇ、油カス１０ｋｇ、食塩１ｋｇ、及び好気性菌１００ｇを原料とし、この原料に電子発生装置を用いて電子を供給する事で、イオン交換して有害物を除去してからきれいに混配合し、また電子発生装置にて電子を供給した水を加水して３週間以上発酵分解させることを特徴とする。この製造方法で製造された有機肥料を第１の電子有機肥料という。
【００１３】
本発明の第２の電子有機肥料の製造方法は、魚粉２０ｋｇ、骨粉１０ｋｇ、米ヌカ２０ｋｇ、食塩１ｋｇ、好気性菌１００ｇを原料とし、この原料に電子発生装置を用いて電子を供給する事でイオン交換し、有害物を除去してからきれいに混配合し、また電子発生装置にて電子を供給した水を加水して、３週間以上発酵分解させることを特徴とする。この製造方法で製造された有機肥料を第２の電子有機肥料という。
【００１４】
本発明の第２の電子有機肥料の製造方法は、米ヌカ３０ｋｇ、骨粉１０ｋｇ、油カス１０ｋｇ、電子飼育の鶏糞１０ｋｇ、食塩１ｋｇ、及び好気性菌１００ｇを原料とし、この原料に電子発生装置を用いて電子を供給する事でイオン交換し有害物質を除去してからきれいに混配合し、また電子発生装置にて電子を供給した水を加水して、３週間以上発酵分解させることを特徴とする。この製造方法で製造された有機肥料を第３の電子有機肥料という。
【００１５】
本発明の電子飼料の製造方法は、植物種子外皮１５ｋｇ、米ヌカ１５ｋｇ、魚粉１５ｋｇ、食塩１ｋｇ、及び嫌気性バクテリア菌１００ｇを原料とし、この原料に電子発生装置を用いて電子を供給する事でイオン交換し有害物質を除去してからきれいに混配合し、また電子発生装置にて電子を供給した水を加水して３週間以上発酵分解させることを特徴とする。
【００１６】
農業面においては、元肥として飼料に電子発生装置（株式会社日本電子物性研究所のエレクトロチャージャー）で電子を供給する事でイオン交換させ、有害物質を除去させた物を食べさせ、電子エネルギー水を利用している畜産物の堆肥を特殊なやり方で、発酵させた物を利用し、今回発明の第１の電子有機肥料を施肥する。
【００１７】
圃場に土壌消毒、除草剤等、化学物質は一切使用せず、太陽熱消毒もせず、上記の元肥を微生物の餌として施す。
【００１８】
定植後、作物の状態を見ながら、本発明の第２の電子有機肥料を追肥として適宜に施す。
【００１９】
上記の栽培を続ける事で、土壌中に化学物質が減少してきて微生物の繁殖がバランス良くなってきたら、元肥として本発明の第３の電子有機肥料を使用する。（おおよそ電子栽培をして２〜３年目よりこれを使用する。）
【００２０】
畜産面においては、飼料に電子発生装置（株式会社日本電子物性研究所のエレクトロチャージャー）において、電子を供給する事でイオン交換をして、有害物質を除去した物を食べさせ、電子エネルギー水を利用する事で体内の化学物質が減少してから本発明の電子飼料を投与する。
【００２１】
【作用】
上記のように施用する事で、土壌中の微生物が増えてバランス良く繁殖してくれる。
【００２２】
そのため、団粒構造の土壌となり、地温の上昇や、電子の浸入が活発となり、養水分が活性化され健全な作物が育ち易くなる。
【００２３】
今回発明の第１〜第３の電子有機肥料には、作物の生育、増産に必要な元素が豊富に含まれているために肥沃な土壌に飛躍的に蘇る。
【００２４】
又、本発明の電子有機肥料が発酵する段階で各種のホルモンができ、病害虫に強い作物となる。
【００２５】
畜産面においても、体液がきれいになってから本発明の電子飼料を与えると、腸内の微生物が活発となり、種類もふえる為、今まで消化できなかった物まで消化吸収するようになる。
【００２６】
そのため、飼料のカロリーを下げても今まで以上に栄養吸収が良くなる。
【００２７】
又、消化吸収が早くなる為に、排泄作用が早くなり、体液を汚さずストレスがなくなる。
【００２８】
【実施例】
（第１実施例）
まず農業面において苺栽培では、前述の堆肥を１０ａ当たり５ｔと本発明の第１の電子有機肥料を１０袋元肥として施し、耕運して畝を作り苺を定植する。苺がなりだして、状態を見て追肥として本発明の第２の電子有機肥料を施す。上記のやり方を１〜２年やり、土壌が肥沃になり微生物が繁殖してきたら、本発明の第３の電子有機肥料を元肥として施肥し、追肥については本発明の第２の電子有機肥料を施用する。他の作物も基本的には同様のやり方をする。
【００２９】
（第２実施例）
畜産物においては、乳牛では、まず飼料に電子発生装置（株式会社日本電子物性研究所のエレクトロチャージャー）で電子を供給する事で、イオン交換して有害物質を除去した物を食べさせ、水も電子発生装置において電子を供給した水を利用する事で、牛が健康になってくる。その牛の餌に、本発明の電子飼料を少量添加して食べさせる。他の畜産物も基本的には同様のやり方をする。
【００３０】
【発明の効果】
本発明は、以上説明したようなやり方で製造し、段階的に使用する事で以下に記載されるような効果をもたらす。
【００３１】
上記苺の場合、完全な有機栽培で農薬をほとんど使用せずに、今まで以上に収穫できる。
【００３２】
この栽培をして３年目位になると、完全な有機栽培で完全な無農薬でほとんどの作物がかなりの増収がみこめる。
【００３３】
収穫した物が、同化作用、異化作用、特に同化作用（光合成）が活発になるため、非常においしく、日持ちの良い作物ができる。
【００３４】
上記のようになる為農家は、コストがかからず、高品質の物が増産できる為に収益が上がり、商人も日持ちがする為ロスが少なく、食べた人も非常に健康に育っているので安全でおいしいと、３者が共に喜んでもらえる栽培である。
【００３５】
畜産については上記第２実施例で説明したようにやる事で、飼料のカロリーを下げる事が出来る上に、体液がきれいになる為、耐病性が強くなり薬品がほとんどいらなくなる。
【００３６】
消化吸収が非常に良くなるために、カロリーを下げてもかえって乳が多く出るようになる。
【００３７】
このように育てた乳牛の乳は、嫌いな方でも喜んでもらえる。
【００３８】
以上の事で、畜産農家もコストが安くなり、飼い易く増産でき、収益が向上し売る人も買う人も非常に喜んでもらえるという画期的な肥料であり、飼料である。